(57)【要約】【課題】照明器具間でプルレス操作がなされたと判定するタイミングのばらつきを解消して、精度良くプルレス操作であることを検出できる照明器具のプルレス操作検出制御装置を提供する。【解決手段】交流電源２からの入力電圧の変化を直接に監視して入力電圧が一定値以下に低下したことを検出し、入力電圧が一定値以下である時間が、予め設定された範囲内の時間であるか否かを制御部１４が判定して、プルレス操作がなされたか否かを判定する。【選択図】  図２
2015125821.tif 000002
【特許請求の範囲】
【請求項１】
スイッチを介して交流電源に接続される照明器具に設けられるプルレス操作検出制御装置であって、
前記交流電源からの入力電圧の変化を直接に監視して、前記入力電圧が一定値以下に低下したことを検出する検出手段と、
前記検出手段により検出された前記入力電圧が一定値以下である時間が、予め設定された範囲内の時間であるか否かを判定することにより、プルレス操作がなされたか否かを判定する判定手段と、
前記判定手段により、予め設定された範囲内の時間であると判定されることにより、プルレス操作がなされたと判定された場合は、前記照明器具に対して前記プルレス操作に応じた調光及び／または調色制御を行う制御手段と、
を備えたことを特徴とする照明器具のプルレス操作検出制御装置。
【請求項２】
スイッチを介して交流電源に接続されるとともに、前記交流電源の位相を制御して調光を行う位相制御型調光器により調光可能な照明器具に設けられるプルレス操作検出制御装置であって、
前記位相制御型調光器により前記交流電源からの入力が遮断される領域のみで動作し、前記調光器からの漏れ電圧を吸収するためのインピーダンス低下回路と、
前記交流電源からの入力電圧の変化を直接に監視して、前記入力電圧が一定値以下に低下したことを検出する検出手段と、
前記検出手段により検出された前記入力電圧が一定値以下である時間が、予め設定された範囲内の時間であるか否かを判定することにより、プルレス操作がなされたか否かを判定する判定手段と、
前記判定手段により、予め設定された範囲内の時間であると判定されることにより、プルレス操作がなされたと判定された場合は、前記照明器具に対して前記プルレス操作に応じた調色制御を行う制御手段と、
を備えたことを特徴とする照明器具のプルレス操作検出制御装置。
【請求項３】
前記照明器具がダウンライトである請求項１または２に記載の照明器具のプルレス操作検出制御装置。
【請求項４】
スイッチを介して交流電源に接続される照明器具であって、請求項１または３に記載のプルレス操作検出制御装置を備えた照明器具。
【請求項５】
スイッチを介して交流電源に接続されるとともに、前記交流電源の位相を制御して調光を行う位相制御型調光器により調光可能な照明器具であって、請求項２または３に記載のプルレス操作検出制御装置を備えた照明器具。
【請求項６】
請求項４に記載の照明器具の複数個が、スイッチを介して交流電源に並列に接続されている照明システム。
【請求項７】
請求項５に記載の照明器具の複数個が、スイッチと位相制御型調光器を介して交流電源に並列に接続されている照明システム。
【発明の詳細な説明】
【技術分野】
【０００１】
この発明は、点灯・消灯用のスイッチのプルレス操作により調光及び／または調色が可能な照明器具であって、特に商用交流電源に複数個を並列接続して使用される例えばダウンライト等の照明器具に好適に搭載される照明器具のプルレス操作検出制御装置、該検出制御装置を備えた照明器具並びに照明システムに関する。
【背景技術】
【０００２】
商用電源に直列に接続された点灯・消灯用のスイッチをユーザーが短時間で断続操作（プルレス操作）することにより、明るさを変化させる調光や色を変化させる調色を行う機能を備えた照明器具が既に知られている（例えば特許文献１）。
【０００３】
このような照明器具において、前述した調光機能や調色機能を発揮させるためには、プルレス操作がなされたことを検出する必要がある。つまり、ユーザーが照明器具を消灯させるためにスイッチをオフしたのか、プルレス操作のためにオフしたのかを識別するために、スイッチのオフ期間を精度良く測定する必要がある。
【０００４】
従来、このようなスイッチのオフ期間の測定は、脈流入力電圧を平均化した値を環視し、この値が一定値以下になったときにスイッチがオフになったと判定することにより行われていた。
【先行技術文献】
【特許文献】
【０００５】
【特許文献１】特開２００５−２８５７２５号公報
【発明の概要】
【発明が解決しようとする課題】
【０００６】
しかしながら、脈流入力電圧を平均化した値を基にスイッチのオフ期間を測定する方法では、脈流入力電圧を平均化した値にばらつきがあることから、プルレス操作がなされたと判定するタイミングにばらつきが発生するという不都合があった。
【０００７】
このような不都合は、１つのスイッチで１台の照明器具を操作する場合は問題とならないが、例えば１部屋に備えられた複数個のダウンライトの調光や調色を１つのスイッチのプルレス操作で同時に行うような場合は、照明器具毎にプルレス操作がなされたと判定するタイミングにばらつきがあると、明るさや色の変化するタイミングが照明器具毎に微妙にずれてしまい、品質を損ねてしまうという問題があった。
【０００８】
この発明は、このような問題を解決するためになされたものであって、照明器具間でプルレス操作がなされたと判定するタイミングのばらつきを解消して、精度良くプルレス操作であることを検出できる照明器具のプルレス操作検出制御装置を提供し、さらには該検出制御装置を備えた照明器具並びに照明システムを提供することを課題とする。
【課題を解決するための手段】
【０００９】
上記課題は、以下の手段によって解決される。
【００１０】
（１）スイッチを介して交流電源に接続される照明器具に設けられるプルレス操作検出制御装置であって、前記交流電源からの入力電圧の変化を直接に監視して、前記入力電圧が一定値以下に低下したことを検出する検出手段と、前記検出手段により検出された前記入力電圧が一定値以下である時間が、予め設定された範囲内の時間であるか否かを判定することにより、プルレス操作がなされたか否かを判定する判定手段と、前記判定手段により、予め設定された範囲内の時間であると判定されることにより、プルレス操作がなされたと判定された場合は、前記照明器具に対して前記プルレス操作に応じた調光及び／または調色制御を行う制御手段と、を備えたことを特徴とする照明器具のプルレス操作検出制御装置。
【００１１】
（２）スイッチを介して交流電源に接続されるとともに、前記交流電源の位相を制御して調光を行う位相制御型調光器により調光可能な照明器具に設けられるプルレス操作検出制御装置であって、前記位相制御型調光器により前記交流電源からの入力が遮断される領域のみで動作し、前記調光器からの漏れ電圧を吸収するためのインピーダンス低下回路と、前記交流電源からの入力電圧の変化を直接に監視して、前記入力電圧が一定値以下に低下したことを検出する検出手段と、前記検出手段により検出された前記入力電圧が一定値以下である時間が、予め設定された範囲内の時間であるか否かを判定することにより、プルレス操作がなされたか否かを判定する判定手段と、前記判定手段により、予め設定された範囲内の時間であると判定されることにより、プルレス操作がなされたと判定された場合は、前記照明器具に対して前記プルレス操作に応じた調色制御を行う制御手段と、を備えたことを特徴とする照明器具のプルレス操作検出制御装置。
【００１２】
（３）前記照明器具がダウンライトである前項１または２に記載の照明器具のプルレス操作検出制御装置。
【００１３】
（４）スイッチを介して交流電源に接続される照明器具であって、前項１または３に記載のプルレス操作検出制御装置を備えた照明器具。
【００１４】
（５）スイッチを介して交流電源に接続されるとともに、前記交流電源の位相を制御して調光を行う位相制御型調光器により調光可能な照明器具であって、前項２または３に記載のプルレス操作検出制御装置を備えた照明器具。
【００１５】
（６）前項４に記載の照明器具の複数個が、スイッチを介して交流電源に並列に接続されている照明システム。
【００１６】
（７）前項５に記載の照明器具の複数個が、スイッチと位相制御型調光器を介して交流電源に並列に接続されている照明システム。
【発明の効果】
【００１７】
前項（１）に記載の発明によれば、交流電源からの入力電圧の変化を直接に監視して、入力電圧が一定値以下に低下したことを検出し、入力電圧が一定値以下である時間が、予め設定された範囲内の時間であるか否かを判定することでプルレス操作がなされたか否かを判定するから、脈流入力電圧を平均化した値を基にスイッチのオフ期間を測定し、プルレス操作がなされたと判定する従来の技術に比べて、入力電圧が一定値以下である時間、つまりスイッチがオフである時間をばらつきなく高精度に測定でき、ひいてはプルレス操作がなされたと判定するタイミングを照明器具間でばらつきなく高精度に合致させることができる。従って、例えば１部屋に備えられた複数個の照明器具の調光及び／または調色を１つのスイッチのプルレス操作で同時に行うような場合においても、明るさや色の変化するタイミングを照明器具間で精度良く揃えることができる。
【００１８】
前項（２）に記載の発明によれば、交流電源の位相を制御して調光を行う位相制御型調光器により調光可能な照明器具であっても、インピーダンス低下回路により調光器からの漏れ電圧を吸収できるから、入力電圧が一定値以下に低下したことの検出に対して、漏れ電圧の影響を抑制することができ、スイッチがオフである時間をばらつきなく高精度に測定でき、プルレス操作がなされたと判定するタイミングを照明器具間でばらつきなく高精度に合致させることができる。
【００１９】
前項（３）に記載の発明によれば、複数個のダウンライトの調光及び／または調色を１つのスイッチのプルレス操作で同時に行うような場合に、明るさや色の変化するタイミングをダウンライト間で精度良く揃えることができ、品質の良いダウンライトとなる。
【００２０】
前項（４）に記載の発明によれば、複数個の照明器具の調光及び／または調色を１つのスイッチのプルレス操作で同時に行うような場合においても、明るさや色の変化するタイミングを精度良く揃えることができる照明器具となる。
【００２１】
前項（５）に記載の発明によれば、交流電源の位相を制御して調光を行う位相制御型調光器により調光可能な複数個の照明器具の調色を、１つのスイッチのプルレス操作で同時に行うような場合においても、色の変化するタイミングを精度良く揃えることができる照明器具となる。
【００２２】
前項（６）に記載の発明によれば、複数個の照明器具の調光及び／または調色を１つのスイッチのプルレス操作で同時に行うような場合においても、明るさや色の変化するタイミングを照明器具間で精度良く揃えることができる照明システムとなる。
【００２３】
前項（７）に記載の発明によれば、複数個の照明器具の調光を位相制御型調光器で同時に行い、調色を１つのスイッチのプルレス操作で同時に行うような場合においても、色の変化するタイミングを照明器具間で精度良く揃えることができる照明システムとなる。
【図面の簡単な説明】
【００２４】
【図１】この発明の一実施形態に係る照明器具が用いられた照明システムの構成図である。
【図２】照明器具の構成を示す回路図である。
【図３】図２の照明器具の動作を示すフローチャートである。
【図４】プルレス操作か否かの判定方法を説明するための図である。
【図５】この発明の他の実施形態に係る照明器具が用いられた照明システムの構成図である。
【図６】図５の照明システムに用いられた照明器具の構成を示す回路図である。
【図７】図６の照明器具の動作を示すフローチャートである。
【発明を実施するための形態】
【００２５】
以下、この発明の実施形態を図面に基づいて説明する。
【００２６】
図１は、この発明の一実施形態に係る照明器具が用いられた照明システムの構成図である。この照明システムは、商用交流電源２に対して複数個の照明器具１が並列に接続されると共に、電源２と照明器具１との間には全ての照明器具１を同時に点灯または消灯させるスイッチ３が、室内の壁面等に設けられている。
【００２７】
この実施形態では、照明器具１としてダウンライトが用いられているが、ダウンライトに限定されることはない。
【００２８】
図２は照明器具の構成を示す回路図である。各照明器具１は同一の構成を有している。
【００２９】
照明器具１は、整流回路１１と、入力回路１２と、ＡＣ−ＤＣ変換回路１３と、制御部１４と、駆動部１５と、光源１６等を備えている。
【００３０】
整流回路１１は、交流電源２からの交流入力を全波整流する回路であり、入力回路１２は、整流回路１１による整流後の入力電圧を分圧して電圧値を低下させるものである。この実施形態では、入力回路１２は抵抗Ｒ１とＲ２により入力電圧を分圧する。
【００３１】
ＡＣ−ＤＣ変換回路１３は、整流回路１１による全波整流後の入力電圧の脈流をなくして安定した直流電源を生成するものである。ＡＣ−ＤＣ変換回路１３により生成された直流電源は光源１６の駆動電源及び制御部１４の電源等に用いられる。
【００３２】
制御部１４は、ＣＰＵ１４１とＲＯＭ１４２とＲＡＭ１４３を備え、照明器具１の全体動作を制御するものである。特にこの実施形態では、前記入力回路１２で分圧され電圧値の小さくなった電圧（以下、監視電圧という）を監視することにより、ユーザーによってなされるスイッチ３のプルレス操作を検出する機能を有する。具体的な検出方法については後述する。
【００３３】
前記ＲＯＭ１４２には、ＣＰＵ１４１の動作プログラムや、プレス操作かどうかを判定するための各種設定値等が保存されており、ＣＰＵ１４１はこれらの動作プログラムや設定値に従って所定の動作を行う。ＲＡＭ１４３はＣＰＵ１４１が動作する際の作業領域を提供する。
【００３４】
駆動部１５は、光源１６を駆動して点灯させると共に、制御部１４によるプルレス操作の検出結果に基づいて光源１６の調光や調色を行う。
【００３５】
光源１６としては発光ダイオード（ＬＥＤ）製のものが好適に用いられるが、これに限定されることはない。また、この実施形態では光源としてダウンライト用の光源が用いられているが、任意の光源を用いることが可能である。
【００３６】
次に、図２に示した照明器具１の動作を、図３のフローチャート及び図４の波形図を参照して説明する。
【００３７】
図３において、ステップＳ０１で、制御部１４は入力回路１２の出力である監視電圧Ｖ０を監視することにより、監視電圧Ｖ０が予め設定された一定値Ｖ１以下になったかどうかを調べる。監視電圧Ｖ０が一定値Ｖ１以下になったときは（ステップＳ０１でＹＥＳ）、ステップＳ０２で、制御部１４はそのタイミングＴ１を記憶する。
【００３８】
次に、ステップＳ０３で、制御部１４はタイミングＴ１からの時間を測定し予め設定された一定時間ｔ１以内に、再度、監視電圧Ｖ０が一定値Ｖ１以下になったかどうかを判断する。
【００３９】
図４（Ａ）に示すように、監視電圧Ｖ０は整流回路１１による整流後の入力電圧の波形と同一の波形を有するから、制御部１４は交流電源２による入力電圧の変動を監視電圧Ｖ０を介して直接に監視していることになる。前記一定値Ｖ１はスイッチ３がオフ操作されたことを検出するための閾値であり、ゼロに近い値が設定される。
【００４０】
図４（Ａ）に示すように、監視電圧Ｖ０が一定値Ｖ１以下になったタイミングをＴ１とすると、タイミングＴ１から一定時間ｔ１以内に、監視電圧Ｖ０が再度一定値Ｖ１以下になったかどうかが判断される。この一定時間ｔ１は、監視電圧Ｖ０の半周期毎の電圧低下かスイッチ３のオフ操作による電圧低下かを判別するための閾値であり、交流電源２の半周期よりも十分に長く、人によるスイッチ３のオフオンの連続操作に要する時間よりも短い例えば１２ｍｓに設定されている。
【００４１】
つまり、図４（Ａ）に示すように、スイッチ３をオフ操作しなくても、監視電圧Ｖ０の脈流により、タイミングＴ１とそこから半周期経過したタイミングＴ２で、監視電圧Ｖ０が一定値Ｖ１以下になったことが必ず検出される。しかし、これはスイッチ３のオフ操作による電圧低下ではなく、タイミングＴ１からタイミングＴ２までの経過時間は一定時間ｔ１よりも短いから、この状態をプルレス操作の検出から排除する構成となっている。
【００４２】
従って、図３のステップＳ０３の判断の結果、タイミングＴ１から一定時間ｔ１以内に、再度、監視電圧Ｖ０が一定値Ｖ１以下になった場合は（ステップＳ０３でＹＥＳ）、プルレス操作でないと判定し、ステップＳ０４で、記憶したタイミングＴ１をクリアしてステップＳ０１に戻る。
【００４３】
一方、ステップＳ０３で、監視電圧Ｖ０が一定値Ｖ１以下にならなかった場合は（ステップＳ０３でＮＯ）、ステップＳ０５で、タイミングＴ１から予め設定された一定時間ｔ２が経過するまでに、監視電圧Ｖ０が所定値まで上昇したかどうかを判定する。つまり、スイッチ３がオンされて監視電圧Ｖ０が回復したかどうかを判定する。上昇した場合は（ステップＳ０５でＹＥＳ）、ステップＳ０６で、制御部１４はプルレス操作と判定し、駆動部１５を介して電源１６の調光及び／または調色を行う。上昇しなかった場合は（ステップＳ０５でＮＯ）、何もしない。
【００４４】
図４（Ｂ）に示すように、ユーザーがプルレス操作のためにスイッチ３をタイミングＴ１でオフし、タイミングＴ３でスイッチ３をオンしたとすると、監視電圧Ｖ０はタイミングＴ１で一定値Ｖ１以下となり、一定時間ｔ１を超えるタイミングＴ３まで監視電圧Ｖ０は一定値Ｖ１を下回り、タイミングＴ３で電圧が回復して一定値Ｖ１を超えることとなる。
【００４５】
制御部１４は、監視電圧Ｖ０が一定値Ｖ１以下となったタイミングＴ１から一定時間ｔ１が経過するまでに、監視電圧Ｖ０が再度一定値Ｖ１以下とならなかった場合、つまり監視電圧Ｖ０が継続して一定値Ｖ１を下回っている場合は、タイミングＴ１から一定時間ｔ２が経過するまでに監視電圧Ｖ０が上昇したかどうか、換言すればスイッチ３がオンになったかどうかを判断し、オンになった場合（ステップＳ０５でＹＥＳの場合）、プルレス操作が行われたと判定するものである。
【００４６】
一方、ユーザーが照明器具１の消灯のためにスイッチ３をオフしたとすると、オフ状態が継続されるから、タイミングＴ１から時間ｔ２が経過しても、監視電圧Ｖ０の電圧値は上昇しない。そこで、制御部１４はタイミングＴ１から一定時間ｔ２の経過までに監視電圧Ｖ０が上昇しなければ（ステップＳ０５でＮＯの場合）、ユーザーは消灯のためにスイッチ３をオフしたものと判定し、そのまま何もせず処理を終了する。
【００４７】
予め設定された一定時間ｔ２は、人がスイッチ３をプルレス操作するのに要する時間よりもやや長く設定されており、一定時間ｔ１よりも大きい値である。なお、プルレス操作に応じて照明器具１の調光及び／または調色を行う技術は公知であるので、詳細な説明は省略する。
【００４８】
以上の説明から理解されるように、この実施形態では、一定時間ｔ１の設定によりスイッチ３がオフされたことを確実に検出し、一定時間ｔ２の設定により消灯のためのスイッチ３のオフ操作を排除する。そして、スイッチ３のオフ時間が一定時間ｔ１を超えｔ２までの範囲のときに、プルレス操作がなされたものとして判定して、調光及び／または調色を行うから、プルレス操作がなされたことを確実に検出することができる。
【００４９】
しかも、入力電圧を入力回路１２で分圧し、この分圧された監視電圧Ｖ０を制御部１４で監視するから、交流電源２から照明器具１への入力電圧の変化を直接に監視していることと同じになり、従来のように、入力電圧を平均化した値を環視し、この値を基にスイッチのオフ期間を測定する方法に較べて、高精度にオフ期間を測定することができ、ひいてはプルレス操作がなされたと判定するタイミングを照明器具１間でばらつきなく高精度に合致させることができる。その結果、複数個の照明器具１を並列に接続して、複数個の照明器具１の調光及び／または調色を１つのスイッチ３のプルレス操作で同時に行うような場合においても、明るさや色の変化するタイミングを照明器具１間で精度良く揃えることができる。
【００５０】
図５はこの発明の他の実施形態に係る照明システムの構成図である。この照明システムは、複数個の照明器具１が、全ての照明器具１を同時に点灯または消灯させるスイッチ３と、全ての照明器具１の調光を同時に行う１台の位相制御型調光器４を介して商用交流電源２に並列に接続されている。
【００５１】
位相制御型調光器４は、ユーザーによる調整ボリュームの操作等に基づいて、交流電源２の位相を制御して交流電源２から各照明器具１への入力電力の供給と遮断を制御することにより、各照明器具１における光源１６の明るさを調整するものである。なお、前記スイッチ３と調光度合いを調整するためのボリューム（図示せず）が、室内の壁面等に設けられている。
【００５２】
照明器具１の構成を図６の回路図に示す。この照明器具１は、整流回路１１の出力側にインピーダンス低下回路１８が設けられている。他の構成は図２の照明器具１の構成と同じであり、図２の照明器具１と同一構成要素については同一の符号を付してそれらの説明は省略する。
【００５３】
位相制御型調光器４が入力遮断領域にあると、調光器４のインピーダンスと調光器４の下流側のインピーダンスにより、下流側に漏れ電圧を供給してしまう。この漏れ電圧により、入力回路１２の出力である監視電圧Ｖ０が影響を受け、監視電圧Ｖ０が一定電圧値Ｖ１以下になったかどうか等のタイミングの検出やスイッチ３のオフ時間の検出にばらつきを与えることになる。
【００５４】
そこで、この実施形態では、位相制御型調光器４が入力遮断領域にあるときにのみ動作するインピーダンス低下回路１８を設け、位相制御型調光器４からの漏れ電圧をインピーダンス低下回路１８で吸収することで、監視電圧Ｖ０に対する漏れ電圧の影響を抑制し、監視電圧Ｖ０が一定電圧Ｖ１以下になったタイミングやスイッチ３のオフ時間の検出をばらつき無く精度良く行えるように構成されている。
【００５５】
その結果、位相制御型調光器４により調光される照明器具１であっても、プルレス操作がなされたと判定するタイミングを照明器具間でばらつきなく高精度に合致させることができ、複数個の照明器具１を並列に接続して各照明器具１の調色を１つのスイッチ３のプルレス操作で同時に行うような場合においても、色の変化するタイミングを照明器具間で精度良く揃えることができる。
【００５６】
なお、インピーダンス低下回路１８は該回路１８の入力電圧が予め設定された閾値電圧Ｖ２以下になると動作を開始し、閾値電圧Ｖ２を超えて入力電圧が上昇すると動作が停止する構成となっており、これによりインピーダンス回路１８を、位相制御型調光器４が入力遮断領域にあるときにのみ動作させ、入力遮断領域にあるときは動作を停止させることができる。
【００５７】
図７は、図６の照明器具１の動作を示すフローチャートである。
【００５８】
ステップＳ１１で、調光器４が入力遮断領域の時（ステップＳ１１でＹＥＳ）、ステップＳ１２でインピーダンス低下回路１８が動作する。調光器４が入力遮断領域でない時は（ステップＳ１１でＮＯ）、インピーダンス低下回路１８は動作しない。ステップＳ１３で、制御部１４は入力回路１２の出力である監視電圧Ｖ０を監視することにより、監視電圧が一定値Ｖ１以下になったかどうかを調べる。監視電圧Ｖ０が予め設定された一定値Ｖ１以下になったときは（ステップＳ１３でＹＥＳ）、ステップＳ１４で、制御部１４はそのタイミングＴ１を記憶する。
【００５９】
次に、ステップＳ１５で、制御部１４はタイミングＴ１からの時間を測定し予め設定された一定時間ｔ１以内に、再度、監視電圧Ｖ０が一定値Ｖ１以下になったかどうかを判断する。一定時間ｔ１以内に、再度、監視電圧Ｖ０が一定値Ｖ１以下になった場合は（ステップＳ１５でＹＥＳ）、プルレス操作でないと判定し、ステップＳ１６で、記憶したタイミングＴ１をクリアしてステップＳ１１に戻る。
【００６０】
一方、ステップＳ１５で、監視電圧Ｖ０が一定値Ｖ１以下にならなかった場合は（ステップＳ１５でＮＯ）、ステップＳ１７で、タイミングＴ１から予め設定された一定時間ｔ２が経過するまでに、監視電圧Ｖ０が所定値まで上昇したかどうかを判定する。つまり、スイッチ３がオンされて監視電圧Ｖ０が回復したかどうかを判定する。上昇した場合は（ステップＳ１７でＹＥＳ）、ステップＳ１８で、制御部１４はプルレス操作と判定し、駆動部１５を介して電源１６の調色を行う。なお、調光はユーザーが調光器１７の調整用ボリュームを調整することにより行われる。上昇しなかった場合は（ステップＳ１７でＮＯ）、ユーザーは消灯のためにスイッチ３をオフしたものと判定し、そのまま何もせず処理を終了する。
【００６１】
なお、この実施形態では、位相制御型調光器４が入力遮断領域にある時に、スイッチ３がオフになっても、その時点では監視電圧Ｖ０は既に一定値Ｖ０以下になっているから、その直前に位相制御型調光器４が入力遮断領域に切り替わったときにスイッチ３がオフされたものと判断されることになる。また、位相制御型調光器４が入力遮断領域にある時にスイッチ３がオンになっても、その時点では監視電圧Ｖ０は上昇せずその直後に位相制御型調光器１７が入力供給領域に切り替わった時点で監視電圧Ｖ０は上昇するから、そのタイミングをもってスイッチ３がオンされたものと判断されることになる。しかし、各照明器具間で、これらのタイミングがばらつくことはないので、プルレス操作がなされたと判定するタイミングを照明器具間でばらつきなく高精度に合致させることができ、複数個の照明器具１の調色を１つのスイッチ３のプルレス操作で同時に行うような場合においても、色の変化するタイミングを照明器具間で精度良く揃えることができる。
【００６２】
なお、以上の実施形態では、複数の照明器具１を交流電源２あるいは位相制御型調光器４に並列に接続して使用する構成を説明したが、１台の照明器具１のみを交流電源２あるいは位相制御型調光器４に接続して使用しても良い。
【符号の説明】
【００６３】
１      照明器具
２      交流電源
３      スイッチ
４      位相制御型調光器
１１    整流回路
１２    入力回路
１３    ＡＣ−ＤＣ変換回路
１４    制御部
１５    駆動部
１６    光源
１８    インピーダンス低下回路
【図１】
2015125821.tif 000003
【図２】
2015125821.tif 000004
【図３】
2015125821.tif 000005
【図４】
2015125821.tif 000006
【図５】
2015125821.tif 000007
【図６】
2015125821.tif 000008
【図７】
2015125821.tif 000009